(57)【要約】      （修正有）【課題】警戒区域の平面図等に示された火災感知器等の防災端末と現場に設置されている防災端末との対応関係を簡単且つ確実に確認可能とする防災システムを提供する。【解決手段】受信機１０と火災感知器１４を備えた火災報知設備１を含む防災システムであり、携帯電話端末３０に火災感知器１４を示す感知器シンボルが配置された警戒区域の平面図を表示し、確認したい感知器シンボルを選択操作すると、対応する火災感知器１４のアドレスを指定した確認信号を、携帯電話網２８、インターネット２４、サーバ２６を経由して受信機１０に送信する。受信機１０は、携帯電話端末３０から受信した確認信号に基づき、確認制御信号を信号回線１２−１に送信し、アドレス一致となった火災感知器１４に設けた発報表示灯１４ａを点灯又は点滅して、確認応答を報知させる。【選択図】図１
2020181353.tif 000002
【特許請求の範囲】
【請求項１】
受信機と防災端末を備えた防災システムに於いて、
前記防災端末を示す端末シンボルが配置された配置図を表示し、１又は複数の前記端末シンボルが選択操作されると対応する前記防災端末を指定した確認信号を所定のネットワークを経由して前記受信機に送信する確認手段と、
前記受信機に設けられ、前記ネットワークを経由して前記確認手段から受信した前記確認信号に基づく制御信号を前記防災端末に送信して確認応答を報知させる確認応答報知手段と、
が設けられたことを特徴とする防災システム。
【請求項２】
請求項１記載の防災システムに於いて、
前記確認手段は、少なくとも動作履歴情報又は障害履歴情報の一方を含む履歴情報を履歴情報画面として表示し、前記履歴情報画面で１又は複数の履歴情報が選択操作されると、履歴情報に対応する前記防災端末又は履歴情報を指定した確認信号を送信して、前記防災端末から確認応答を報知させることを特徴とする防災システム。
【請求項３】
請求項１乃至２の何れかに記載の防災システムに於いて、前記防災端末は、前記確認応答の報知として、所定の確認応答表示を行うことを特徴とする防災システム。
【請求項４】
請求項３記載の防災システムに於いて、
前記指定された防災端末は、第１の確認応答表示を行い、
少なくとも前記指定された防災端末の近傍に配置された防災端末を含む前記指定された防災端末以外の防災端末は、前記第１の確認応答表示とは異なる第２の確認応答表示を行うことを特徴とする防災システム。
【請求項５】
請求項１乃至４の何れかに記載の防災システムに於いて、前記防災端末は、前記確認応答の報知として、所定の確認応答音の出力を行うことを特徴とする防災システム。
【請求項６】
請求項１乃至５の何れかに記載の防災システムに於いて
前記防災端末は、所定時間の経過したとき又は前記受信機から当該防災端末の試験動作の検出信号を受信したときに、前記確認応答の報知を終了することを特徴とする防災システム。
【請求項７】
請求項２乃至６の何れかに記載の防災システムに於いて、
前記受信機はネットワークを介してインターネット上のサーバと通信接続し、
前記サーバは、前記防災端末を示す端末シンボルが配置された配置図に関する情報、前記防災端末の動作履歴情報、又は、前記防災端末の障害履歴情報を記憶しており、
前記確認手段は、前記サーバから前記配置図に関する情報、前記動作履歴情報、又は前記障害履歴情報を取得して確認する端末を選択操作することを特徴とする防災システム。
【請求項８】
請求項７記載の防災システムに於いて、
前記サーバは、前記配置図に前記確認応答を報知した端末を識別可能に表示し、
前記確認手段は、前記サーバから前記確認応答を報知した端末を識別可能に表示した前記配置図を取得して表示することを特徴とする防災システム。
【請求項９】
請求項７の何れかに記載の防災システムに於いて、
前記確認手段は、前記サーバから取得して表示した前記配置図を修正し、当該修正した配置図を前記サーバに送信して記憶させることを特徴とする防災システム。
【請求項１０】
請求項２乃至５の何れかに記載の防災システムに於いて、
前記受信機には防災情報を表示する防災表示装置が接続されており、
前記防災表示装置は、前記防災端末を示す端末シンボルが配置された配置図に関する情報、前記動作履歴情報、及び前記障害履歴情報を記憶しており、
前記確認手段は、前記受信機と防災表示装置の接続とは異なるイントラネットワークを介して前記防災表示装置と通信接続し、前記防災表示装置に前記確認信号を送信し、
前記防災表示装置は、前記確認信号を受信した場合に、前記確認信号を前記受信機に送信することを特徴とする防災システム。
【請求項１１】
請求項１乃至１０の何れかに記載の防災システムに於いて、前記確認手段は、携帯電話端末又は携帯情報端末を含むことを特徴とする防災システム。
【請求項１２】
請求項１乃至１１の何れかに記載の防災システムに於いて、前記防災端末は、表示灯を備えた、火災感知器、防火戸、防火ダンパー又はガス遮断弁の少なくとも何れかを含むことを特徴とする防災システム。
【発明の詳細な説明】
【技術分野】
【０００１】
本発明は、受信機と火災感知器を備えた防災システムに関する。
【背景技術】
【０００２】
従来、受信機から引き出された信号回線に火災感知器を接続して火災を監視する火災報知設備としては、所謂Ｒ型（Ｒｅｃｏｒｄ  ｔｙｐｅ）の火災報知設備が知られている。
【０００３】
Ｒ型火災報知設備にあっては、受信機から引き出された信号回線に、固有のアドレスが設定された伝送機能を有するアナログ型の火災感知器を接続し、煙濃度又は温度等のアナログデータが所定の注意レベルに達すると火災感知器からの火災割込みに基づき、受信機から検索コマンドを発行して発報した火災感知器のアドレスを特定してアナログデータを集中的に収集し、アナログデータが所定の火災レベルに達したときに火災と判断し、受信機の火災代表灯を点灯して音響警報を出力し、更に、ディスプレイ等に火災を検出した感知器アドレスを表示するようにしている。
【０００４】
このように、火災を検出した火災感知器のアドレスが分かると、適切な避難誘導や消火活動が可能となり、特に規模の大きな設備の火災監視には不可欠な機能となっている。
【０００５】
また、Ｒ型火災報知設備の受信機から引き出された信号回線には、伝送機能を備えた中継器を介して防火扉や防火ダンパー等の制御端末機器が接続されており、火災時には受信機からの制御信号により防火扉の保持を解除して閉鎖させ、また、防火ダンパーを開放して煙を排出する防排煙制御を行っている。
【０００６】
一方、火災報知設備は設備機能を維持するために定期点検が義務付けられており、例えば、煙感知器にあっては、天井面の感知器ベースから煙感知器を取り外して感度試験を行い、感度試験が済んだら感知器ベースに戻した後に、炙り試験により発報試験を行っている。
【先行技術文献】
【特許文献】
【０００７】
【特許文献１】特開２００７−２１９８７０号公報
【特許文献２】特開２０１７−１９１４１８号公報
【発明の概要】
【発明が解決しようとする課題】
【０００８】
しかしながら、このような火災報知設備にあっては、設備規模の大型化と複雑化に伴い火災感知器や防排煙機器が設置される警戒区域が広大となり、例えば、火災感知器の炙り試験にあっては、図面等で試験を行う警戒区域の感知器設置状況を調べ、これに基づき現場に出向いて炙り試験を行うことになるが、図面等で確認した試験対象とする火災感知器と実際に設置されている火災感知器の対応関係が分かりづらく、炙り試験による試験発報の結果から別の火災感知器を誤って試験している場合があり、試験を行う火災感知器の確認に手間と時間がかかる問題がある。
【０００９】
また、火災感知器が火災以外の原因で動作して受信機から非火災報が出された場合や、火災感知器の故障等により受信機から障害警報が出された場合には、受信機に表示された地区名称等に基づき現場に出向いで確認することになるが、同じ区画に複数の火災感知器が設置されているような場合には、非火災報や障害を起した火災感知器の確認に手間と時間がかかる問題もある。
【００１０】
本発明は、警戒区域の平面図等に示された火災感知器等の防災端末と現場に設置されている防災端末との対応関係を簡単且つ確実に確認可能とする火災報知設備を含む防災システムを提供することを目的とする。
【課題を解決するための手段】
【００１１】
（防災システム）
本発明は、受信機と防災端末を備えた防災システムに於いて、
防災端末を示す端末シンボルが配置された配置図を表示し、１又は複数の前記端末シンボルが選択操作されると対応する防災端末を指定した確認信号を所定のネットワークを経由して受信機に送信する確認手段と、
受信機に設けられ、ネットワークを経由して確認手段から受信した確認信号に基づく制御信号を防災端末に送信して確認応答を報知させる確認応答報知手段と、
が設けられたことを特徴とする。
【００１２】
（動作履歴又は障害履歴による端末確認）
確認手段は、少なくとも動作履歴情報又は障害履歴情報の一方を含む履歴情報を履歴情報画面として表示し、履歴情報画面で１又は複数の履歴情報が選択操作されると、履歴情報に対応する防災端末又は履歴情報を指定した確認信号を送信して、防災端末から確認応答を報知させる。
【００１３】
（確認表示）
防災端末は、確認応答の報知として、所定の確認応答表示を行う。
【００１４】
（近傍防災端末を含めた確認表示）
指定された防災端末は、第１の確認応答表示を行い、
少なくとも指定された防災端末の近傍に配置された防災端末を含む指定された防災端末以外の防災端末は、第１の確認応答表示とは異なる第２の確認応答表示を行う。
【００１５】
（確認音）
記防災端末は、確認応答の報知として、所定の確認応答音の出力を行う。
【００１６】
（確認応答の終了）
防災端末は、所定時間の経過したとき又は受信機から当該防災端末の試験動作の検出信号を受信したときに、確認応答の報知を終了する。
【００１７】
（サーバ）
受信機はネットワークを介してインターネット上のサーバと通信接続し、
サーバは、記防災端末を示す端末シンボルが配置された配置図に関する情報、防災端末の動作履歴情報、又は、防災端末の障害履歴情報を記憶しており、
確認手段は、サーバから配置図に関する情報、動作履歴情報、又は障害履歴情報を取得して確認する端末を選択操作する。
【００１８】
（配置図の確認応答端末の識別表示）
サーバは、配置図に確認応答を報知した端末を識別可能に表示し、
確認手段は、サーバから確認応答を報知した端末を識別可能に表示した配置図を取得して表示する。
【００１９】
（配置図の修正）
確認手段は、サーバから取得して表示した配置図を修正し、当該修正した配置図をサーバに送信して記憶させる。
【００２０】
（防災表示装置）
受信機には防災情報を表示する防災表示装置が接続されており、
防災表示装置は、防災端末を示す端末シンボルが配置された配置図に関する情報、動作履歴情報、及び障害履歴情報を記憶しており、
確認手段は、受信機と防災表示装置の接続とは異なるイントラネットワークを介して防災表示装置と通信接続し、防災表示装置に確認信号を送信し、
防災表示装置は、確認信号を受信した場合に、確認信号を受信機に送信する。
【００２１】
（確認手段）
確認手段は、携帯電話端末又は携帯情報端末を含む。
【００２２】
（防災端末）
防災端末は、表示灯を備えた、火災感知器、防火戸、防火ダンパー又はガス遮断弁の少なくとも何れかを含む。
【発明の効果】
【００２３】
（基本的な効果）
本発明は、受信機と防災端末を備えた防災システムに於いて、防災端末を示す端末シンボルが配置された配置図を表示し、１又は複数の前記端末シンボルが選択操作されると対応する防災端末を指定した確認信号を所定のネットワークを経由して受信機に送信する確認手段と、受信機に設けられ、ネットワークを経由して確認手段から受信した確認信号に基づく制御信号を防災端末に送信して確認応答を報知させる確認応答報知手段とが設けられたため、確認手段には例えば火災感知器を示す感知器シンボルが配置された警戒区域の配置図が表示され、例えば、所定の火災感知器の炙り試験を行いたい場合には、試験を行う現場で、確認手段の表示している配置図の試験対象とする感知器シンボルを選択操作すると、確認信号が送信されて現場に設置されている火災感知器から確認応答の報知が行われ、これにより試験対象とした火災感知器の現場確認を簡単に行うことができ、効率良く炙り試験を進めることができる。
【００２４】
（動作履歴又は障害履歴による端末確認の効果）
また、確認手段は、少なくとも動作履歴情報又は障害履歴情報の一方を含む履歴情報を履歴情報画面として表示し、履歴情報画面で１又は複数の履歴情報が選択操作されると、履歴情報に対応する防災端末又は履歴情報を指定した確認信号を送信して、防災端末から確認応答を報知させるようにしたため、確認手段には、例えば火災感知器の火災発報を示す動作履歴情報（発報履歴情報）に基づく発報シンボルが表示された警戒区域の平面図が表示され、火災発報した火災感知器の設置現場に出向いて動作履歴情報に基づく発報シンボルを選択操作すると、履歴発報の対処となった火災感知器から確認応答の報知が行われ、履歴発報している火災感知器を現場で特定して火災の検証作業等を行うことができる。
【００２５】
（確認表示の効果）
また、防災端末は、確認応答の報知として所定の確認応答表示を行うようにしたため、例えば火災感知器にあっては、発報表示灯を点灯又は点滅させることで確認応答の報知を行って、確認対象とした火災感知器を容易に見つけ出すことができる。
【００２６】
（近傍防災端末を含めた確認表示の効果）
また、指定された防災端末は、第１の確認応答表示を行い、少なくとも指定された防災端末の近傍に配置された防災端末を含む指定された防災端末以外の防災端末は、第１の確認応答表示とは異なる第２の確認応答表示を行うようにしたため、対象の防災端末に異常があり表示灯を点滅（第１の確認応答表示）できなくても近傍の防災端末が点灯（第２の確認応答表示）するので異常のある防災端末を一目で把握可能となる。例えば、同一フロア・部屋内を近傍の防災端末として選択することで、防災端末のおおまかな位置を把握したうえで、対象の防災端末を探すことが可能となるので、より簡単に防災端末を探すことができる。
【００２７】
（確認音の効果）
また、防災端末は、確認応答の報知として、更に、所定の確認応答音を出力するようにしたため、確認対象とする防災端末の設置場所から離れていることで確認応答表示が見えないような場合にも、確認応答音により確認対象としている防災端末を容易に見つけ出すことができる。
【００２８】
（確認応答の終了の効果）
また、防災端末は、所定時間の経過したとき又は受信機から当該防災端末の試験動作の検出信号を受信したときに、確認応答の報知を終了するようにしたため、防災端末の試験に必要な間、指定された端末の確認表示を行うことができる。
【００２９】
（サーバの効果）
また、受信機はネットワークを介してインターネット上のサーバと通信接続し、
サーバは、記防災端末を示す端末シンボルが配置された配置図に関する情報、防災端末の動作履歴情報、又は、防災端末の障害履歴情報を記憶しており、確認手段は、サーバから配置図に関する情報、動作履歴情報、又は障害履歴情報を取得して確認する端末を選択操作するようにしたため、受信機と防災端末を備えた防災システムの確認手段で利用する警戒区域の配置図、動作履歴情報、障害履歴情報等はサーバに記憶管理されており、確認手段はサーバから必要な警戒区域の配置図、動作履歴情報、又は、障害履歴情報を取得し、防災端末を現場で確認するための選択操作を行うことができ、確認手段側の処理負担を軽減できる。
【００３０】
（配置図の確認応答端末の識別表示による効果）
また、サーバは、配置図に確認応答を報知した端末を識別可能に表示し、確認手段は、サーバから確認応答を報知した端末を識別可能に表示した配置図を取得して表示するようにしたため、試験の漏れを配置図上で確認可能とすると共に、試験で漏れた防災端末について確認応答表示をさせることにより、試験で漏れた感知器が現地のどの感知器か識別可能となる。
【００３１】
（配置図の修正による効果）
また、確認手段は、サーバから取得して表示した配置図を修正し、当該修正した配置図をサーバに送信して記憶させるようにしたため、試験を行う端末の設置場所が改修工事等により配置図と異なっていた場合などには、確認手段で配置図を修正してサーバに簡単に反映させることができる。
【００３２】
（防災表示装置の効果）
また、受信機には防災情報を表示する防災表示装置が接続されており、防災表示装置は、防災端末を示す端末シンボルが配置された配置図に関する情報、動作履歴情報、及び障害履歴情報を記憶しており、確認手段は、受信機と防災表示装置の接続とは異なるイントラネットワークを介して防災表示装置と通信接続し、防災表示装置に確認信号を送信し、防災表示装置は、確認信号を受信した場合に、確認信号を受信機に送信するようにしたため、防災システムに防災表示装置が設けられている場合には、確認手段で利用する警戒区域の配置図、動作履歴情報、及び障害履歴情報は全て防災表示装置で記憶管理されており、確認手段による警戒区域の配置図、動作履歴情報、又は障害履歴情報の利用を可能とする。
【００３３】
確認手段は、例えば防災表示装置とコネクタ等を介して物理的に接続して警戒区域の配置図、動作履歴情報、又は障害履歴情報等のデータのやり取りを行っても良いし、イントラネットワークを介して警戒区域の配置図、動作履歴情報、又は障害履歴情報等のデータのやり取りを行っても良い。
【００３４】
また、受信機が確認手段のネットワークと接続しないことで、受信機は火災報知設備としての主機能への影響を抑えることが可能となる。また、防災表示装置は処理に余裕があり、更に、イントラネットワークで通信完結するので通信の安全が図られる。
【００３５】
（確認手段の効果）
また、確認手段は、携帯電話端末又は携帯情報端末を含むものであり、試験員等の利用者が防災端末の設置現場に持ち込んで、例えば試験対象とする防災端末か否かを容易に確認できる。
【００３６】
（防災端末の効果）
また、防災端末は、表示灯を備えた、火災感知器、防火戸、防火ダンパー又はガス遮断弁の少なくとも何れかを含むものであり、火災感知器の表示灯は発報表示灯をそのまま利用でき、防火戸、防火ダンパー又はガス遮断弁等は、確認用の表示灯を新たに設けることで、確認応答表示を可能とする。
【図面の簡単な説明】
【００３７】
【図１】受信機と火災感知器を備えた防災システムの概要を示した説明図
【図２】受信機とサーバの機能構成を示したブロック図
【図３】携帯電話端末の機能構成の概略を示したブロック図
【図４】携帯電話端末のログイン画面とログインで開いたメニュー画面を示した説明図
【図５】図４の端末確認メニューの選択により開いた確認端末選択画面と火災感知器の選択により開いた階選択画面を示した説明図、
【図６】図５の２階選択により開いた２階平面図を示した説明図
【発明を実施するための形態】
【００３８】
［実施形態の基本的概念］
図１は防災システムの概要を示した説明図である。本実施形態による防災システムの基本的概念は、受信機１０と防災端末として例えば火災感知器１４を備えた１又は複数の火災報知設備１を含む防災システムに於いて、確認手段として機能する例えば携帯電話端末３０に、防災端末、例えば火災感知器１４を示す感知器シンボルが配置された配置図として機能する警戒区域の平面図を表示し、１又は複数の感知器シンボルを選択操作すると対応する火災感知器１４のアドレスを指定した確認信号を所定のネットワーク、例えば、携帯電話網２８、インターネット２４、サーバ２６を経由して受信機１０に送信し、受信機１０に確認応答報知手段して設けられた確認応答報知部は、インターネット２４を経由して携帯電話端末３０から受信した確認信号に基づき、所定の制御信号を信号回線１２−１に送信し、アドレス一致となった火災感知器１４に設けた例えば発報表示灯１４ａを点灯又は点滅して確認応答を報知させる、というものである。
【００３９】
このため、警戒区域に設置されている特定の火災感知器１４の例えば炙り試験を行う場合には、携帯電話端末３０に表示している警戒区域の平面図の中の試験対象とする感知器シンボルを選択操作すると、インターネット２４上のサーバ２６を経由して受信機１０に確認信号が送信され、現場に設置されている火災感知器１４の発報表示灯１４ａが点灯又は点滅して確認応答の報知が行われ、これにより試験対象とした火災感知器の現場確認を簡単に行うことができ、効率良く炙り試験を進めることができる。以下詳細に説明する。
【００４０】
［防災システムの概要］
図１に示すように、建物等に設置された火災報知設備１は、建物の一階の管理人室などには例えばＲ型（Ｒｅｃｏｒｄ  ｔｙｐｅ）の受信機１０が設置され、受信機１０から警戒区域に対し系統毎に分けて信号回線１２−１が引き出され、固有のアドレスが設定された伝送機能を有する複数のアナログ式の火災感知器１４が接続され、火災を監視している。また、信号回線１２−ｎには、固有のアドレスが設定された伝送機能を有する中継器１６を介して防火戸や防排煙ダンパー等の防排煙機器１８等が接続される。これ以外にも、信号回線には、固有のアドレスが設定された伝送機能を有する中継器１６を介してガス漏れ検知器やガス遮断弁等が接続されるが、図示を省略している。なお、信号回線１２−１，１２−ｎは区別する必要がない場合は信号回線１２という場合がある。
【００４１】
また、受信機１０にはゲートウェイ装置２２が設けられ、インターネット２４を経由してサーバ２６に通信接続できるようにしている。
【００４２】
本実施形態は、例えば受信機１０からの信号回線１２−１に接続された火災感知器１４の炙り試験を行う際に、試験員が確認手段として機能する例えばスマートフォン等の携帯電話端末３０に表示した警戒区域の平面図の中の感知器シンボルをクリックすることで、現場に設置している火災感知器１４の発報表示灯１４ａを点灯又は点滅して確認報知させるものである。
【００４３】
このため携帯電話端末３０の画面の感知器シンボルのクリック操作により、クリックした感知器シンボルに対応した火災感知器１４に対する確認信号が携帯電話網２８からインターネット２４を経由してサーバ２６に送信され、更に、サーバ２６からインターネット２４及びゲートウェイ装置２２を経由して受信機１０に送信される。ここで、携帯電話端末３０から送信される確認信号には、受信機ＩＰアドレス、信号回線１２に対応した系統番号、感知器アドレス及び確認コマンドが含まれる。
【００４４】
受信機１０はサーバ２６を経由して携帯電話端末３０から受信した確認信号に基づき、確認信号から得られた感知器アドレスを指定した確認制御信号、例えば、発報表示灯１４ａの動作コマンドを含む確認制御信号を送信し、当該確認制御信号を受信した火災感知器１４は自己の発報表示灯１４ａを点灯又は点滅させ、携帯電話端末３０からの確認信号に対し、確認応答を報知する。
【００４５】
サーバ２６には携帯電話端末３０に表示させる防災端末シンボルを配置した警戒区域の平面図が予め記憶されている。サーバ２６に記憶している警戒区域の平面図は、例えば受信機１０にイントラネットワーク（構内ネットワーク）として機能するシリアル伝送路１５を介して接続している防災表示装置２０に予め記憶されており、サーバ２６はインターネット２４から受信機１０を経由して防災表示装置２０から警戒区域の平面図を取得して記憶している。
【００４６】
携帯電話端末３０は必要とする警戒区域の平面図をサーバ２６からダウンロードし、画面表示した平面図中の任意の感知器シンボルをクリックすると、確認信号がサーバ２６を経由して受信機１０に送信され、現場に設置している対応する火災感知器１４の発報表示灯１４ａを点灯又は点滅して確認応答を報知させることができる。
【００４７】
また、サーバ２６から携帯電話端末３０にダウンロードした警戒区域の平面図には、受信機１０からの信号回線１２−ｎに接続している防排煙機器１８の機器シンボルも配置されていることから、例えば、防排煙機器１８の動作確認を点検時に行う場合には、画面表示された平面図中の任意の防排煙機器１８の機器シンボルをクリックすると、確認信号がサーバ２６を経由して受信機１０に送信され、現場に設置している対応する防排煙機器１８に設けられた動作表示灯１８ａを点灯又は点滅して確認応答を報知させることができる。
【００４８】
なお、サーバ２６に対しては複数の火災報知設備１が接続され、各火災報知設備１において携帯電話端末３０を利用した防災端末の確認を可能としている。
【００４９】
［受信機及びサーバの機能構成］
（受信機の機能）
図２は受信機とサーバの機能構成を示したブロック図である。図２に示すように、受信機１０は、ＣＰＵ、メモリ、各種の入出力ポート等を備えたコンピュータ回路等で構成されており、メインＣＰＵ３２と複数のサブＣＰＵ基板３４が設けられ、サブＣＰＵ基板３４にはサブＣＰＵ３６と伝送部３８が設けられている。メインＣＰＵ３２とサブＣＰＵ３６は、シリアル転送バス４０で接続されており、相互にデータを送受信する。
【００５０】
メインＣＰＵ３２には、液晶表示パネル等を用いたタッチパネル付きのディスプレイ４２、ＬＥＤ等の表示灯を用いた表示部４４、火災断定スイッチ、主音響停止スイッチ、地区音響一時停止スイッチ等の各種スイッチが設けられた操作部４６、スピーカが設けられた音響警報部４８及び移報部５０が接続されている。
【００５１】
また、メインＣＰＵ３２にはプログラムの実行により実現される受信制御部５４と確認応答報知部５６の機能が設けられる。
【００５２】
（受信機の火災監視制御）
図２に示す受信機１０に設けたサブＣＰＵ基板３４のサブＣＰＵ３６は、伝送部３８に指示して火災感知器１４との間で所定の通信プロトコルに従って信号を送受信することで、火災監視制御を行っている。
【００５３】
サブＣＰＵ３６による火災監視制御は、通常の監視中にあっては、一定周期毎に、伝送部３８に指示して、一括ＡＤ変換コマンドを含むブロードキャストの一括ＡＤ変換信号を送信しており、この一括ＡＤ変換信号を受信した火災感知器１４は、煙濃度又は温度をセンサデータとして検出して保持する。続いて、サブＣＰＵ３６は、感知器アドレスを順次指定したポーリングコマンドを含む呼出信号を送信している。
【００５４】
火災感知器１４は自己アドレスに一致するアドレスを持つ呼出信号を受信すると、そのとき保持しているセンサデータを含む応答信号を受信機１０の伝送部３８に送信する。また、火災感知器１４は煙濃度又は温度が所定の火災注意レベルを超えると受信機１０の伝送部３８に対し火災割込み信号を送信する。
【００５５】
サブＣＰＵ３６は伝送部３８を介して火災割込み信号を受信すると、グループ検索コマンド信号を送信して火災を検出している火災感知器１４を含むグループを特定し、続いて、グループ内検索コマンド信号を送信して火災を検出している火災感知器１４のアドレスを特定してセンサのアナログデータを集中的に収集し、シリアル転送バス４０を介してメインＣＰＵ３２に送信する。
【００５６】
メインＣＰＵ３２はサブＣＰＵ３６から受信したアナログデータを、火災注意レベルより高い所定の火災判定レベルと比較しており、アナログデータが火災判定レベルに達した場合に火災と判定し、表示部４４の火災代表灯を点灯し、音響警報部４８のスピーカから火災発生を示す所定の音響警報を出力させ、ディスプレイ４２に火災が検出された感知器アドレスに基づき火災発生場所を含む火災情報を表示させ、更に、移報部５０により火災移報信号を外部に出力して所定の移報制御等を行わせる。
【００５７】
（受信機の確認応答報知）
図２に示す受信機１０のメインＣＰＵ３２には確認応答報知手段として機能する確認応答報知部５６が設けられ、確認応答報知部５６はゲートウェイ装置２２を介してサーバ２６から携帯電話端末３０の操作で送信された、系統番号、端末アドレス及び確認コマンドを含む確認信号を受信した場合、系統番号に基づき対応するサブＣＰＵ３６を選択して端末アドレスを指定した確認制御信号を伝送部３８から信号回線１２に送信し、アドレス一致となった火災感知器１４の発報表示灯１４ａ又は防排煙機器１８の動作表示灯１８ａを点灯又は点滅して確認応答を報知させる制御を行う。
【００５８】
（サーバ）
図２に示すように、サーバ２６は、ＣＰＵ、メモリ、各種の入出力ポート等を備えたコンピュータ回路等で構成されおり、通信制御部７２、サーバ制御部７０、キーボートやマウス等の操作部７４、ディスプレイを用いた表示部７６、記憶部７８を備える。
【００５９】
サーバ制御部７０には防災情報管理部８０が設けられ、防災情報管理部８０は携帯電話端末３０からの要求によりダウンロードする警戒区域の平面図を記憶部７８に予め記憶している。また、防災情報管理部８０は携帯電話端末３０から端末確認信号を受信すると、端末確認信号から得られた受信機１０のＩＰアドレスを指定して、受信した端末確認信号を中継送信する。
【００６０】
本実施形態にあっては、受信機１０には防災表示装置２０が接続されている。防災表示装置２０は受信機１０のメインＣＰＵ３２とシリアル伝送部５２を介して接続されており、受信機１０で発生した全てのイベントを防災情報としてディスプレイに表示すると共に記憶部に記憶している。
【００６１】
また、防災表示装置２０には、火災感知器や防排煙機器等の端末を示す端末シンボルを配置した警戒区域平面図６２が予め記憶されており、例えば、受信機１０から火災感知器１４の火災検出に基づく火災情報を受信すると、火災発生階の平面図を画面表示すると共に、火災を検知した火災感知器の感知器シンボルを赤点滅して発報シンボルとして表示する。
【００６２】
このためサーバ２６は防災表示装置２０に記憶している警戒区域平面図６２を受信機１０を経由して取得することで記憶部７８に記憶し、携帯電話端末３０からの要求に対しダウンロードする。ここで、サーバ２６の防災情報管理部８０は、防災表示装置２０から取得した警戒区域平面図６２を、携帯電話端末３０で画面表示してシンボル操作可能な画面情報に変換して記憶部７８に記憶している。
【００６３】
また、防災表示装置２０には端末の動作履歴情報６４や障害履歴情報６６が記憶管理されている。サーバ２６は防災表示装置２０に記憶している動作履歴情報６４や障害履歴情報６６についても、受信機１０を経由して取得することで記憶部７８に記憶し、携帯電話端末３０からの要求に対しダウンロードする。
【００６４】
動作履歴情報６４を携帯電話端末３０でダウンロードした場合は、動作履歴情報６４に基づき、端末機器の動作状態を示すシンボルを配置した警戒区域の平面図を表示し、シンボルをクリック操作すると、受信機ＩＰアドレス、系統番号、端末アドレス及び確認コマンドを含む確認信号を、サーバ２６を経由して受信機１０に送信し、クリック操作した動作履歴に対応する端末機器の動作表示灯を点灯又は点滅して確認応答を報知させ、動作した端末の現場確認を可能とする。
【００６５】
また、障害履歴情報６６を携帯電話端末３０でダウンロードした場合は、障害履歴情報６６に基づき、端末機器の障害を示す障害シンボルを配置した警戒区域の平面図を表示し、障害シンボルをクリック操作すると、受信機ＩＰアドレス、系統番号、端末アドレス及び確認コマンドを含む確認信号を、サーバ２６を経由して受信機１０に送信し、クリック操作した障害履歴に対応する端末機器の動作表示灯を点灯又は点滅して確認応答を報知させ、障害となっている端末を現場で確認し、障害を起している端末を見誤ることなく、修理交換等の対処を適切に行うことを可能とする。
【００６６】
［携帯電話端末］
（携帯電話端末の機能構成）
図３は防災端末の確認手段として使用する携帯電話端末の機能構成の概略を示した説明図であり、個人用の携帯コンピュータの機能を併せもつ携帯電話端末として知られたスマートフォンを例にとっている。
【００６７】
図３に示すように、携帯電話端末３０は、携帯電話制御部８２、携帯電話通信部８４、無線ＬＡＮ通信部８６、高速移動通信部８８、ＧＰＳ通信部（全地球測位システム通信部）９０、カメラ部９２、ＳＩＭカード９４、ディスプレイ９６、タッチパネル９８、音声入出力部１００、操作部１０２及びメモリカード１０４等を備える。
【００６８】
携帯電話端末３０の携帯電話制御部８２は、プロセッサを構成するＣＰＵ、メモリ、各種入出力インタフェースを備えたＬＳＩで実現され、インストールされたプログラムを実行する。
【００６９】
携帯電話通信部８４は、第３世代移動通信システム（３Ｇ）として知られたＷ−ＣＤＭＡにより携帯電話通信を行う。
【００７０】
無線ＬＡＮ通信部８６は、イーサネット（登録商標）による無線ネットワークをベースにしたＩＥＥＥ８０２．１１に準拠した無線通信を行う。また無線ＬＡＮ通信部８６は、無線ＬＡＮのアクセスポイントとして機能する無線ＬＡＮ通信機能、例えばデザリング機能を備えている。
【００７１】
高速移動通信部８８は、ＩＥＥＥ８０２．１６ｅに準拠したモバイルＷｉＭＡＸ（Ｒ）によるモバイル高速移動通信を行う。
【００７２】
ＧＰＳ通信部９０は、米国が運用する周回衛星を使用した全地球測位システム（Ｇｌｏｂａｌ  Ｐｏｓｉｔｉｏｎｉｎｇ  Ｓｙｓｔｅｍ）を利用して、現在位置の経度と緯度を取得するための通信を行う。
【００７３】
カメラ部９２は、ＣＭＯＳ撮像素子を使用して画像の撮像を行い、静止画及び動画を取得する。
【００７４】
ＳＩＭカード９４は、携帯電話番号を識別するための番号であるＩＭＳＩ（Iｎｔｅｒｎａｔｉｏｎａｌ  Ｍｏｂｉｌｅ  Ｓｕｂｓｃｒｉｂｅｒ  Iｄｅｎｔｉｔｙ）番号を格納したカードであり、ＳＩＭカード９４の差し替えにより、複数の携帯電話端末で同じ携帯電話番号を利用可能とする。
【００７５】
ディスプレイ９６は、液晶パネルや有機ＥＬパネルなどの表示デバイスを使用し、パネル表面にはタッチパネル９８を配置している。音声入出力部１００は、マイク、スピーカ、及びオーディオコーデック（Ａｕｄｉｏ  ＣＯＤＥＣ）を備えて音声入出力を行う。
【００７６】
操作部１０２は、キーパッドや操作釦による利用者の操作を受け付けて携帯電話制御部８２に通知する。メモリカード１０４は、着脱自在な外部メモリであり、カメラ部９２で撮像した画像等の各種データの外部記憶に使用する。
【００７７】
携帯電話制御部８２は、通話接続、メール接続、インターネット接続などの通信接続及び関連する各種の制御を行う。
【００７８】
また、携帯電話制御部８２には、確認手段として機能する防災端末確認部１０６が設けられている。防災端末確認部１０６は、火災感知器等の防災端末を示す端末シンボルが配置された警戒区域の平面図を表示し、平面図の中の確認対象とする１又は複数の端末シンボルを選択操作すると、対応する防災端末を指定した確認信号、例えば受信機ＩＰアドレス、系統番号、端末アドレス、確認コマンドを含む確認信号を送信する制御を行い、この確認信号をサーバ２６を経由して受信機１０に送信し、受信機１０から確認制御信号を防災端末に送信し、表示灯を点灯又は点滅して確認応答を報知させる。
【００７９】
［携帯電話端末の操作画面］
図４は携帯電話端末のログイン画面とログインで開いたメニュー画面を示した説明図、図５は図４（Ｂ）の端末確認メニューの選択により開いた端末選択画面と火災感知器の選択により開いた階選択画面を示した説明図、図６は図５（Ｂ）の２階選択により開いた２階平面図を示した説明図である。
【００８０】
（ログイン画面）
図４（Ａ）は携帯電話端末３０のログイン画面１０８を示す。ログイン画面１０８には、ＩＤ入力枠１１０とパスワード入力枠１１２が設けられ、予め行った利用者登録で設定した所定のＩＤとパスワードを入力してログイン釦１１４を操作すると、入力したＩＤとパスワードがサーバ２６に送信され、認証成功により図２のサーバ２６に設けた防災情報管理部８０からの防災端末の確認操作に必要な操作画面がダウンロードされる。
【００８１】
（メニュー画面）
図４（Ｂ）は図４（Ａ）のログイン成功により開かれた携帯電話端末３０のメニュー画面１１６を示す。メニュー画面１１６には、「防災設備メニュー選択」のタイトルに続いて、端末確認釦１１８、動作履歴釦１２０、障害履歴釦１２２が設けられる。
【００８２】
ここで、炙り試験で火災感知器１４を確認したい場合には、斜線部で示すように端末確認釦１１８を操作すると、図５（Ｃ）に示す端末選択画面１２４が開かれる。
【００８３】
なお、動作履歴の中の防災端末を確認したい場合は動作履歴釦１２０を操作し、また、障害履歴の中の防災端末を確認したい場合は障害履歴釦１２２を操作する。
【００８４】
（端末選択画面）
図５（Ｃ）に示す端末選択画面１２４には、確認すべき防災端末の種別を選択するため、火災感知器釦１２６、防排煙機器釦１２８、ガス漏れ監視釦１３０が表示される。炙り試験の場合には、斜線部で示す火災感知器釦１２６を操作し、この操作により図５（Ｄ）に示す階選択画面１３４が開かれる。
【００８５】
なお、防火戸や排煙ダンパー等の防排煙機器を確認したい場合には防排煙機器釦１２８を選択し、ガス漏れ検知器やガス遮断弁を確認したい場合にはガス漏れ監視釦１３０を操作する。
【００８６】
（階選択画面）
図５（Ｄ）に示す階選択画面１３４には、確認対象とする建物の階を示したフロア図１３６が表示され、例えば斜線部で示す２Ｆを選択すると、図６（Ａ）に示す端末確認画面１４０が開かれる。
【００８７】
（端末確認画面）
図６（Ｅ）に示す端末確認画面１４０には、「確認したい火災感知器をクリックします」のガイダンスに続いて、選択した２階の平面図１４２が表示される。平面図１４２は監視区画となる例えば部屋毎に仕切られており、監視区画には火災感知器１４の設置を示す感知器シンボル１４４が配置されている。
【００８８】
端末確認画面１４０の下側には縮小平面図１４６が表示され、縮小平面図１４６の中の斜線で示すエリア１４６ａの部分が平面図１４２として表示されている。縮小平面図１４６についてはエリア１４６ａをタッチ操作で移動すると、平面図１４２を操作方向にスクロールすることができる。
【００８９】
炙り試験を行う火災感知器１４を確認したい場合には、例えば平面図１４２の左上の斜線で示す感知器シンボル１４４をクリック操作により選択すると、選択した感知器シンボルに対応した受信機ＩＰアドレス、系統番号、感知器アドレス及び確認コマンドを含む確認信号がサーバ２６を経由して受信機１０に送信され、確認信号により指定された系統（信号回線）に感知器アドレスを指定した確認制御信号が送信され、アドレス一致となった火災感知器１４に設けている発報表示灯１４ａが点灯又は点滅し、確認応答を報知する。
【００９０】
試験員は、火災感知器１４の発報表示灯１４の点灯又は点滅による確認報知をみて、炙り試験を行うべき火災感知器１４ａを現場確認し、試験作業を開始する。
【００９１】
火災感知器１４の発報表示灯１４ａの点灯又は点滅による確認応答報知は、所定時間が経過すると停止（消灯）するか、或いは、携帯電話端末３０の確認終了操作により確認終了信号を送信して停止（消灯）させても良い。
【００９２】
なお、火災感知器１４以外の防災端末、例えば、防排煙機器、ガス漏れ検知器、ガス遮断弁の確認についても、火災感知器１４の確認の場合と同様になる。
【００９３】
（動作履歴情報、障害履歴情報に基づく防災端末確認）
携帯電話端末３０を用いた動作履歴情報又は障害履歴情報に基づく防災端末の確認も火災感知器１４等の防災端末の確認の場合と同様であり、確認したい建物の階を選択すると、動作した防災端末又は障害を起した防災端末のシンボルを配置して平面図が表示され、確認したい防災端末のシンボルを選択すると、確認信号がサーバ２６を経由して受信機１０に送信され、確認対象となった防災端末の表示灯が点灯又は点滅して確認応答を報知する。
【００９４】
［本発明の変形例］
（配置図）
上記の実施形態は、配置図を平面図としたが、これに限らない。建物を立体形状で捉える立体図であっても、シンボルを配置する配置図として機能すれば適宜採用可能である。
【００９５】
（近傍防災端末を含めた確認表示）
また、本発明の他の実施形態として、指定された防災端末は、第１の確認応答表示として例えば表示灯の点滅を行い、少なくとも指定された防災端末の近傍に配置された防災端末を含む指定された防災端末以外の防災端末は、第１の確認応答表示とは異なる第２の確認応答表示として例えば表示灯の点灯を行うようにしても良い。これにより、対象の防災端末に異常があり表示灯を点滅（第１の確認応答表示）できなくても近傍の防災端末が点灯（第２の確認応答表示）するので異常のある防災端末を一目で把握可能となる。
【００９６】
例えば、同一フロア・部屋内を近傍の防災端末として選択することで、防災端末のおおまかな位置を把握したうえで、対象の防災端末を探すことが可能となるので、より簡単に防災端末を探すことができる。
【００９７】
また、第２の確認応答表示を指定された以外の防災端末全てが行うようにしても良い。
【００９８】
受信機と確認端末がＷｉＦｉ等の公知の無線通信方法によって直接通信するようにしても良い。
【００９９】
確認端末は携帯電話網や棟内のＷｉＦｉ通信に加え、発信機に備え付けられる電話ジャックと接続する通信装置を介した通信を行うようにしても良い。
【０１００】
（確認応答の終了）
確認応答は時間経過や所定時間の経過により終了するとしているが、適宜の方法をとってよい。例えば、火災感知器への加煙試験等で指定された防災端末が動作したとき、受信機が当該動作信号を検出し、近傍の防災端末を含めて確認応答を終了するようにしても良い。また、この際に、確認端末に確認応答を終了した旨を示す信号を送信し、確認端末で表示するようにしても良い。
【０１０１】
（配置図）
サーバは確認応答及び動作した端末を配置図上で識別可能に表示するようにしても良い。これにより、サーバから配置図を取得して表示した確認手段は、試験の漏れを配置図上で確認可能とすると共に、試験で漏れた防災端末について確認応答表示をさせることにより、試験で漏れた感知器が現地のどの感知器か識別可能となる。
【０１０２】
確認端末で配置図を修正できるようにしても良い。当該修正した配置図はサーバ又は防災表示端末に送信され、修正が反映されるものとしても良い。
【０１０３】
（確認応答報知）
上記の実施形態は、確認応答の報知として、火災感知器は発報表示灯を作動し、防排煙機器等は動作表示灯を作動しているが、更に、所定の確認報知音を出力するスピーカやブザー等の音響報知手段を設けても良い。このように防災端末の確認応答を音とすることにより、確認対象とした防災端末が見えない位置で携帯電話端末による確認操作を行った場合にも音により確認応答が分かり、その方向に移動して表示灯の作動により確認できる。
【０１０４】
（携帯電話端末）
上記の実施形態は、防災端末の確認手段として携帯電話端末を例にとっているが、これに限定されず、ＷｉＦｉ（登録商標）等の無線ＬＡＮネットワークを介してインターネット上のサーバに接続するタブレット等の携帯型の情報端末機器を用いても良い。
【０１０５】
（Ｐ型受信機）
また、上記の実施形態は、Ｒ型の受信機からの信号回線を介してＲ型の火災感知器を接続した火災報知設備を例にとっているが、Ｐ型（Ｐｒｏｐｒｉｅｔａｒｙ−ｔｙｐｅ）の受信機から引き出した感知器回線にアドレスを設定すると共に伝送機能を備えたアドレッサブル火災感知器を接続した防災設備についても、同様に、携帯電話端末に画面表示したアドレッサブル火災感知器の感知器シンボルを選択して確認信号を送信することで、発報表示灯の作動により確認応答の報知させることができる。
【０１０６】
（その他）
また、本発明は上記の実施形態に限定されず、その目的と利点を損なうことのない適宜の変形を含み、更に上記の実施形態に示した数値による限定は受けない。
【符号の説明】
【０１０７】
１：火災報知設備
１０：：受信機
１２−１，１２−ｎ：信号回線
１４：火災感知器
１４ａ：発報表示灯
１６：中継器
１８：防排煙機器
１８ａ：動作表示灯
２０：防災表示装置
２２：ゲートウェイ装置
２４：インターネット
２６：サーバ
２８：携帯電話網
３０：携帯電話端末
３２：メインＣＰＵ
３４：サブＣＰＵ基板
３６：サブＣＰＵ
３８：伝送部
５４：受信制御部
５６：確認応答報知部
６２：警戒区域平面図
６４：動作履歴情報
６６：障害履歴情報
７０：サーバ制御部
８０：防災情報管理部
８２：携帯電話制御部
１０６：防災端末確認部
【図１】
2020181353.tif 000003
【図２】
2020181353.tif 000004
【図３】
2020181353.tif 000005
【図４】
2020181353.tif 000006
【図５】
2020181353.tif 000007
【図６】
2020181353.tif 000008